【事件の表示】
　特願２００１−１３８９５５「糖化ヘモグロビン分析計」拒絶査定不服審判事件〔平成１４年　１月３１日出願公開、特開２００２−３１６２６〕について、次のとおり審決する。
【結　論】
　本件審判の請求は、成り立たない。
【理　由】
１　本願発明
　本願は、平成１３年５月９日（優先権主張　平成１２年５月９日）の出願であって、その請求項１ないし３に係る発明は、平成２１年１月１９日付け補正書により補正された特許請求の範囲の請求項１ないし３に記載された事項により特定されたとおりのものと認められ、その請求項１に係る発明は次のとおりのものである。
　「【請求項１】ヘモグロビン成分を分離する分離カラム、分離された成分を検出する検出器、溶離液を供給する送液ポンプ、試料注入バルブ、及び希釈した血液試料を前記試料注入バルブに供給するサンプリング部、を具備する液体クロマトグラフィーによる糖化ヘモグロビン分析計において、
前記サンプリング部が電磁弁を含まず、かつ
希釈液供給部、
血液試料を採取するサンプリングニードル、
前記ニードル外壁に付着した血液試料を洗浄するための洗浄ブロック、
前記ニードルで採取した血液試料を希釈する希釈ブロック、
希釈液を吸引排出するための駆動手段、
血液試料を吸引排出するための駆動手段、
前記希釈液供給部、前記洗浄ブロック、前記希釈ブロック、前記試料注入バルブ、及び前記希釈液を吸引排出するための駆動手段の流路と接続可能なロータリー式の流路切り替えバルブから構成し、うち前記希釈液を吸引排出するための駆動手段の流路が前記バルブの回転により、残りの流路のうち１つとのみ接続される流路切り替え機構、
を具備していることを特徴とする、糖化ヘモグロビン分析計。」（以下、「本願発明」という。）
　
２　引用刊行物の記載事項
　原査定の拒絶に理由に引用された、本願優先日前に頒布された刊行物１ないし３には、以下の事項が記載されている。
　
（１）刊行物１：特開平９−２７４０２９号公報の記載事項
（１ａ）「【請求項１】血液試料中の糖化ヘモグロビン分析装置であって、少なくとも、（Ａ）塩濃度の異なる２種類以上の緩衝液を保持する２以上の溶液タンク、前記２以上の溶液を切り替えて以降の流路系に供給する液体流路切り替え装置及び溶液を送液するための送液ポンプを備え、各溶液タンクは流路切り替え装置を介して送液ポンプと配管で連通された溶液供給系、（Ｂ）前記溶液供給系の送液ポンプと配管で連通されたサンプルループを有するサンプルインジェクタを備える試料供給系、（Ｃ）配管中の液体の温調のためのヒータ、陽イオン交換樹脂を充填したカラム、カラムからの溶出液の吸光度を測定するためのフローセル型検出器及びこれら全てを覆う温調のためのオーブンを備え、ヒータと前記試料供給系のサンプルインジェクタ、ヒータとカラム及びカラムと検出器は配管で連通された検出系、（Ｄ）ラックに担持された血液試料を保持する管を搬送路に沿って搬送するラック搬送装置、ラックの保持位置決め装置及びラックに担持された管の保持位置決め装置を備えたラック搬送系、（Ｅ）ラック搬送と共に搬送される管から血液試料を採取するためのニードル及び第一シリンジを備え、ニードルと第一シリンジは配管で連通された試料採取系、及び、（Ｆ）配管の洗浄液を兼ねた血液試料の希釈液を保持する希釈液タンク、第二シリンジ、前記試料採取系のニードル外周を洗浄するためのニードル洗浄ブロック、血液試料の希釈及び溶血操作のための廃液槽と希釈槽が一体に形成された前処理槽、希釈された血液試料の混合及び溶血操作のための混合流路及び、。３個のバルブを備え、ここで第二シリンジは、（１）第一バルブを介して希釈液タンクと配管で連通され、（２）第一バルブ、第二バルブ及び前記試料供給系のサンプルインジェクタを介して前記試料採取系のニードルと配管で連通され、（３）第一バルブ、第二バルブ及び第三バルブを介して前記ニードル洗浄ブロックと配管で連通され、そして、（４）第一バルブ、第二バルブ、第三バルブ及び混合流路を介して前記希釈槽と連通されている、前処理系、とを有する前記装置。」
（１ｂ）「【０００１】
【発明の属する技術分野】本発明は、液体クロマトグラフィーを利用した糖化ヘモグロビン分析装置に関するものである。更に詳しくは、血液試料を保持した真空採血管液体温調装置に関するものである。更に詳しくは、真空採血管等の管に保持された血液試料中の糖化ヘモグロビンについて、自動的に分析を行う装置に関するものである。
（１ｃ）「【００１０】図１は、本発明の装置における（Ｄ）ラック搬送系以外、即ち（Ａ）溶液供給系、（Ｂ）試料供給系、（Ｃ）検出系、（Ｅ）試料採取系及び（Ｆ）前処理系の構成を示す図である。以下、各系について順に説明する。（Ａ）溶液供給系は、塩濃度の異なる３種類の緩衝液を保持する３の溶液タンク１０１〜１０３、前記３種類の溶液を切り替えて以降の流路系に供給する液体流路切り替え装置１０７及び溶液を送液するための送液ポンプ１０８を備えている。本発明の装置では、図１に示したように、溶液中の気体を脱気するための脱気装置１０４〜１０６を溶液タンク１０１〜１０３と液体流路切り替え装置の間に配置することが好ましい。なお図１の例では３種類の溶液を使用しているが、２種類の溶液又は４種類以上の溶液を使用しても良い。ちなみに図１の例では、異なる濃度のコハク酸緩衝液を使用し、それぞれ分析カラムへの血液試料（希釈後試料）の送液、カラムの洗浄及びカラムからの糖化ヘモグロビン成分の溶出のために使用する構成としてある。この例では、送液ポンプ１０８の送液量は１．５ｍｌ／分とした。」
（１ｄ）「【００１４】試料供給系は、前記溶液供給系の送液ポンプ１０８と配管で連通されたサンプルループ１１０を有するサンプルインジェクタ１０９を備える。サンプルインジェクタは、例えば図１に示したように６方インジェクションバルブを利用したものを使用することができる。この６方インジェクションバルブを利用したサンプルインジェクタ１０９は、６の溶液導入口を有し、隣接する２の導入口同士を連通し得るものである。図１に示した装置におけるサンプルループ１１０の容量は１０マイクロｌとしてある。
【００１５】サンプルインジェクタ１０９は、検出系と連通している。検出系は、配管中の液体の温調のためのヒータ１１１、陽イオン交換樹脂を充填したカラム１１２、カラムからの溶出液の吸光度を測定するためのフローセル型吸光度計１１３及びこれら全てを覆う温調のためのオーブン１１４を備える。」
（１ｅ）「【００２５】本発明の試料採取系は、ラック搬送と共に搬送される管から血液試料を採取するためのニードル１１５及び第一シリンジ１１６を備える。通常、糖化ヘモグロビン分析における血液試料は、真空採血管により供給されるが、これを用いるためにはニードルとして真空採血管を貫通し得る、針状のものを使用する。ニードルの長さや具体的な形状は、適宜選択すれば良い。ニードルは配管により第一シリンジと連通され、第一シリンジは、ニードルを用いて真空採血管から一定量の血液試料を採取するために使用される。通常、ニードルによる血液試料の採取量は３マイクロｌ程度である。」
（１f）「【００２６】本発明の前処理系は、配管の洗浄液を兼ねた血液試料の希釈液を保持する希釈液タンク１１７、第二シリンジ１１９、前述の試料採取系のニードル外周を洗浄するためのニードル洗浄ブロック１２０、血液試料の希釈及び溶血操作のための廃液槽と希釈槽が一体に形成された前処理槽１２１、希釈された血液試料の混合及び溶血操作のための混合流路及び３個の３方バルブ１２２〜１２４を備える。本発明の装置では、希釈液中の気体を脱気するための脱気装置１１８を希釈液タンク１１７と第二シリンジ１１９の間に配置することが好ましい。ここで第二シリンジ１１９は、好ましくは脱気装置１１８及び第一バルブ１２２を介して希釈液タンク１１７と配管で連通され、第一バルブ１２２、第二バルブ１２３及び試料供給系のサンプルインジェクタ１０９を介して試料採取系のニードル１１５と配管で連通され、第一バルブ１２２、第二バルブ１２３及び第三１２４バルブを介してニードル洗浄ブロック１２０と配管で連通され、そして、第一バルブ１２２、第二バルブ１２３、第三バルブ１２４及び混合流路１２５を介して前処理槽１２１中の希釈槽と連通されている。
（１g）「【００２７】前処理系の動きについて、図５に基づき説明する。前処理系は、血液試料の希釈、混合、溶血及びコンタミネーションを防止するための各部品の洗浄を行う系である。使用する配管の洗浄液を兼ねた血液試料の希釈液は、例えば赤血球を溶血可能な塩濃度を有し、かつ、洗浄のための界面活性剤を含む溶液等であれば良い。
【００２８】図５に示したように、希釈液５０１はゴムキャップ５０２を有する真空採血管５０３等の中にいれられた血液試料５０４を希釈、溶血すると共に、血液試料を採取した後はニードル等を含む配管の洗浄液としての機能をも兼ね備えている。なお、希釈液で血液試料を希釈するのみでは赤血球の溶血が不完全な場合でも、後に説明する混合流路での十分な混合により十分な溶血効果を得ることが可能である。
【００２９】前処理系は、第二シリンジ５０５、洗浄液５０１を保持するタンク、第一バルブ５０６及びこれらを連結する配管から構成される流路（溶液吸引系）、第二シリンジ５０５、通常のサンプルインジェクタ５０７、ニードル、第一バルブ５０６、第二バルブ５１５及びこれらを連結する配管から構成される流路（サンプリング系）、第二シリンジ５０５、ニードル洗浄ブロック５０８、第一バルブ５０６、第二バルブ５１５、第三バルブ５０９及びこれらを連結する配管から構成される流路（ニードル洗浄系）、第二シリンジ５０５、混合流路５１０、前処理槽５１１中の希釈槽５１１ｂ、第一バルブ５０６、第二バルブ５１５、第三バルブ５０９及びこれらを連結する配管から構成される流路（混合流路系）を包含する。なお、希釈液の吸引、吐出用の第二シリンジ５０５及び血液試料を吸引、吐出する第一シリンジ５１２の役割の一部を別途追加したシリンジに負わせることも可能である。」
（１ｈ）「【００３３】液体試料の希釈のための希釈槽５１１ｂと排液槽５１１ａが一体に形成された前処理槽５１１の排液槽５１１ａ上で希釈液を流しつつ、複数回上下運動させることで外周を洗浄されたニードル５１３は、次に前処理槽５１１の希釈槽５１１ｂ上に水平に移動し、その底部まで下降する。この位置で第一シリンジ５１２からニードル５１３に至る系を開き、ニードルに吸引した血液試料の全量を吐出する。この後、バルブを切り替え、第二シリンジ５０５からニードル５１３に至るサンプリング系を開き、希釈倍率に応じて希釈液５０１をゆっくりと吐出する。この時、希釈槽５１１ｂの容量は実際の分析に供する試料の量以上であれば、希釈により出現する希釈後試料の容量以下であっても良い。希釈槽５１１ｂと排液槽５１１ａは一体として形成されているが、そのしきり５１１ｃは低くなっており、オーバーフローした希釈後試料は排液槽５１１ａにこぼれるように構成する。なお、排液槽５１１ａにオーバーフローした希釈後試料は、単に重力のみで排出が可能である。」
（１ｉ）「【００３５】以上の操作に続いて、バルブ５０６、５１５及び５０９を切り替えて第二シリンジ５０５から前処理槽５１１の希釈槽５１１ｂの下端部に至る混合流路系を開き、第二シリンジ５０５を往復運動させて希釈後試料を図中のＣで示した流路で往復させる。ここで、混合流路系の希釈槽５１１ｂ近傍の配管は、図５からも明らかなように配管の断面が大なる部分と小なる部分が複数箇所連続した特殊な混合流路５１０としてある。この混合流路５１０は、希釈後試料が当該部を通過する際の流速を変化させることで適当な乱流を発生させ、混合効率を向上するため、更には血液試料の溶血に効果的である。・・・この、混合流路系を用いた操作の間、ニードルは希釈槽５１１ｂに止めるが、いったん希釈槽５１１ｂの上部に移動させても良い。希釈槽５１１ｂに戻された希釈後試料の全量を、第二シリンジ５０５からニードル５１３に至るサンプリング系を開き、第二シリンジ５０５を運動させて吸引する。・・・
【００３６】希釈後試料の全量をニードル５１３で吸引した後、ニードル先端を希釈槽の底部に位置させた状態で混合流路系を開き、第二シリンジ５０５を運動させて希釈液を吐出し、希釈槽５１１ｂ及び混合流路５１０の洗浄を行う。この洗浄により、ニードルの外周に付着した希釈後試料も洗浄される。この後、第二シリンジを運動させて希釈層５１１ｂに残った希釈液を混合流路と希釈槽の間まで後退させ、次回の前処理操作で空気層を挟んで希釈後試料と洗浄・希釈溶液が位置し得るようにする。
【００３７】前処理操作の最終段階として、ニードル５１３を希釈槽５１１ｂから排液槽５１１ａ上に移動させ、サンプリング系を開き、第二シリンジ５０５の運動により希釈液を吐出し、ニ−ドルからサンプリング系に残った希釈後試料を廃棄すると共に希釈液を吐出し、これにより、ニードル内部を含むサンプリング系の洗浄を行う。従って、次回の採取操作の際にサンプリング系に残った希釈後試料等がコンタミネーションを生じないようにする。」
（１ｊ）図１及び図５には、第二シリンジが(119及び505)が、希釈液タンク(117及び501)、サンプルイッンジェクタ(109及び507)、ニードル洗浄ブロック(120及び508)、前処理層(121及び511)それぞれに、三方弁（122、123、124、及び506、515、509）を介して連通した分析計が示されている。（第１１〜１２頁、【図１】、【図５】）
　
（２）刊行物２：特開平５−４５３６５号公報の記載事項
（２ａ）「【００１３】図１及び図２に示すように、試料分注装置は、複数本（本実施例では第１ないし第４の４本）のプローブ２ａ、２ｂ、２ｃ、２ｄと、これら第１ないし第４のプローブ２ａ、２ｂ、２ｃ、２ｄの上端から延出した第１ないし第４の接続チューブ４ａ、４ｂ、４ｃ、４ｄと、これら接続チューブ４ａ、４ｂ、４ｃ，４ｄの延出端に接続された１個のロータリー弁６と、このロータリー弁６から延出した第５の接続チューブ８と、この第５の接続チューブ８の延出端に接続された１個のシリンジ１０と、を備えている。」と、そして
（２ｂ）「【００２７】なお、本発明は、上述した構成に限定されることはない。・・・本発明の試料分注方法が用いられる試料分注装置は、図３に示すような構成でもよい。即ち、図３には、ロータリー弁６の代りに、第１ないし第４の電磁弁３２ａ、３２ｂ、３２ｃ、３２ｄが用いられている。これら第１ないし第４の電磁弁３２ａ、３２ｂ、３２ｃ、３２ｄは、第１ないし第４の接続チューブ４ａ、４ｂ、４ｃ、４ｄに、夫々、介装されている。そして、これら電磁弁３２ａ、３２ｂ、３２ｃ、３２ｄを選択的に切り換えることによって、シリンジ１０と第１ないし第４のプローブ２ａ、２ｂ、２ｃ、２ｄとの連通状態が制御可能に構成されている。なお、効果については、上述した一実施例と同様である。」
　
（３）刊行物３：特開平１１−２０１９５５号公報
（３ａ）「【０００１】
【発明の属する技術分野】本発明は、液体クロマトグラフィー装置内で、配管流路を切り換えるために配置される回動バルブにおいて、コンタミネーションの発生の可能性を小さくし精度の高い分析や分取を可能とする回動バルブの構造に関するものである。」
（３ｂ）「【０００２】
【従来の技術】液体クロマトグラフ装置にとって流路切り換え手段は必須部材である。そして一般的には回転板をすり合わせる方式がもっとも良く採用されている。これを図５に基づいて簡単に説明してみると、図示された典型的な回動バルブ５は、ステータ６と、ロータ７とにより形成されており、固定されたステータ６の直下に位置するロータ７は、該ステータ６に接触しつつ回転するよう構成されている（図では構造を明らかにするために、ロータ７とステータ６とは離反させて描出している。また接続管と回動バルブとを連結固定するための部材等については図示を省略している。）
【０００３】ステータ６はまた、上下に貫通する貫通孔６１部分を中心に回転するものである。そしてステータ６の周辺部分には、該貫通孔６１を中心とする同心円上に、本体を上下に貫通する貫通孔６２が複数個等間隔に設けられている。個々の貫通孔６２は、それぞれ独立して他の配管に接続されている（図示略）。
【０００４】一方ロータ７の一面（ステータ６との接触面）には、一個の凹部７１が形成されている。この凹部７１は、ロータ７の中心部から始まり周縁近くまで放射状に延びるものであり、ステータ６と組み合わせたとき該ステータ６の複数個ある貫通孔６２のいずれか一つ、及び貫通孔６１と連通する流路が形成されるように形成されている。即ち、ロータ７を回転させることにより、任意の流路切り換えを行なう。
【０００５】つまり流路は、貫通孔６１及び６２の内面、凹部７１の内面、及びステータ６の接触面によって構成されることになる。」
　
３　対比・判断
　刊行物１の上記記載事項（特に(1a)）から、刊行物１には、
　「血液試料中の糖化ヘモグロビン分析装置であって、少なくとも、
（Ａ）塩濃度の異なる２種類以上の緩衝液を保持する２以上の溶液タンクから前記２以上の溶液を切り替えて以降の流路系に供給する液体流路切り替え装置、及び、
溶液を送液するための送液ポンプを備え、
各溶液タンクは流路切り替え装置を介して送液ポンプと配管で連通された溶液供給系、（Ｂ）前記溶液供給系の送液ポンプと配管で連通されたサンプルループを有する６方インジェクションバルブからなるサンプルインジェクタを備える試料供給系、
（Ｃ）配管中の液体の温調のためのヒータ、陽イオン交換樹脂を充填しヘモグロビン成分を分離するカラム、カラムからの溶出液の吸光度を測定するためのフローセル型検出器及びこれら全てを覆う温調のためのオーブンを備え、ヒータと前記試料供給系のサンプルインジェクタ、ヒータとカラム及びカラムと検出器は配管で連通された検出系、
（Ｄ）ラックに担持された血液試料を保持する管を搬送路に沿って搬送するラック搬送装置、ラックの保持位置決め装置及びラックに担持された管の保持位置決め装置を備えたラック搬送系、
（Ｅ）ラック搬送と共に搬送される管から血液試料を採取するためのニードル、及び
第一シリンジを備え、
ニードルと第一シリンジは配管で連通された試料採取系、及び、
（Ｆ）配管の洗浄液を兼ねた血液試料の希釈液を保持する希釈液タンク、
第二シリンジ、
前記試料採取系のニードル外周を洗浄するためのニードル洗浄ブロック、
血液試料の希釈及び溶血操作のための廃液槽と希釈槽が一体に形成された前処理槽、
希釈された血液試料の混合及び溶血操作のための混合流路、及び
第一、第二及び第三の三方バルブを備え、
ここで第二シリンジは、
　(1)第一バルブを介して希釈液タンクと配管で連通され、
　(2)第一バルブ、第二バルブ及び前記試料供給系のサンプルインジェクタを介して前記試料供給系のニードルと配管で連通され
　(3)第一バルブ、第二バルブ及び第三バルブを介して前記ニードル洗浄ブロックと配管で連通され、
　(4)第一バルブ、第二バルブ、第三バルブ及び混合流路を介して前記希釈槽と連通されている、前処理系、
とを有する前記装置」の発明（以下、「刊行物１発明」という。）が記載されていると認められる。
　
　 そこで、本願発明と刊行物１発明とを比較する。
（ア）刊行物１発明の「糖化ヘモグロビン分析装置」、「陽イオン交換樹脂を充填しヘモグロビン成分を分離するカラム」、「カラムからの溶出液の吸光度を測定するためのフローセル型検出器」及び「サンプルループを有する６方インジェクションバルブからなるサンプルインジェクタ」は、その構造及び機能からみて、本願発明の「糖化ヘモグロビン分析計」、「ヘモグロビン成分を分離する分離カラム」、「分離された成分を検出する検出器」、及び「試料注入バルブ」にそれぞれ相当する。
（イ）刊行物１発明の「溶液供給系」の「塩濃度の異なる２種類以上の緩衝液」は、分析計の構成からみて「溶離液」であることは明らかであるから、刊行物１発明の「溶液供給系」の「溶液を送液するための送液ポンプ」は、本願発明の「溶離液を供給する送液ポンプ」に相当する。
（ウ）刊行物１発明の「血液試料を採取するためのニードル」、「第一シリンジ」、「配管の洗浄液を兼ねた血液試料の希釈液を保持する希釈液タンク」、「第二シリンジ」、「前記試料採取系のニードル外周を洗浄するためのニードル洗浄ブロック」及び「血液試料の希釈及び溶血操作のための廃液槽と希釈槽が一体に形成された前処理槽」は、その構造及び機能からみて、本願発明の「血液試料を採取するサンプリングニードル」、「血液試料を吸引排出するための駆動手段」、「希釈液供給部」、「血液試料を吸引排出するための駆動手段」、「前記ニードル外壁に付着した血液試料を洗浄するための洗浄ブロック」、「前記ニードルで採取した血液試料を希釈する希釈ブロック」に、それぞれ相当する。
（エ）刊行物１発明の「第一、第二、第三の３方バルブ」と、本願発明の「ロータリー式の流路切り替えバルブ」とは、流路切り替えバルブである点で共通する。
（オ）刊行物１発明の「第二シリンジは、(1)第一バルブを介して希釈液タンクの流路と連通され、(2)第一バルブ、第二バルブ及び前記試料供給系のサンプルインジェクタを介して前記試料供給系のニードルと配管で連通され、(3)第一バルブ、第二バルブ及び第三バルブを介して前記ニードル洗浄ブロックと配管で連通され、(4)第一バルブ、第二バルブ、第三バルブ及び混合流路を介して前記希釈槽と連通されている」流路の切り替え機構と、本願発明の「前記希釈液供給部、前記洗浄ブロック、前記希釈ブロック、前記試料注入バルブ、及び前記希釈液を吸引排出するための駆動手段の流路と接続可能なロータリー式の流路切り替えバルブから構成し、うち前記希釈液を吸引排出するための駆動手段の流路が前記バルブの回転により、残りの流路のうち１つとのみ接続される流路切り替え機構」とは、希釈液供給部、洗浄ブロック、希釈ブロック、試料注入バルブ、及び希釈液を吸引排出するための駆動手段の流路と接続可能な流路切り替えバルブから構成し、うち希釈液を吸引排出するための駆動手段の流路が前記バルブの切替えにより、残りの流路のうち１つとのみ接続される流路切り替え機構である点で共通する。
（カ）刊行物１発明の「試料採取系」と「前処理系」を合わせたものと、本願発明の「サンプリング部」とは、その構成と機能からみて、サンプリング部である点で共通する。
（キ）刊行物１発明の「第一、第二及び第三の三方バルブ」は、技術常識からみて、電磁バルブといえる。
　
　そうすると、両者の間には、以下の一致点及び相違点がある。
（一致点）
　ヘモグロビン成分を分離する分離カラム、分離された成分を検出する検出器、溶離液を供給する送液ポンプ、試料注入バルブ、及び希釈した血液試料を前記試料注入バルブに供給するサンプリング、を具備する液体クロマトグラフィーによる糖化ヘモグロビン分析計において、
前記サンプリング部が、
希釈液供給部、
血液試料を採取するサンプリングニードル、
前記ニードル外壁に付着した血液試料を洗浄するための洗浄ブロック、
前記ニードルで採取した血液試料を希釈する希釈ブロック、
希釈液を吸引排出するための駆動手段、
血液試料を吸引排出するための駆動手段、
前記希釈液供給部、前記洗浄ブロック、前記希釈ブロック、前記試料注入バルブ、及び前記希釈液を吸引排出するための駆動手段の流路と接続可能な流路切り替えバルブから構成し、うち前記希釈液を吸引排出するための駆動手段の流路が前記バルブの切り替えにより、残りの流路のうち１つと接続される流路切り替え機構、
を具備している糖化ヘモグロビン分析計である点。
　
（相違点）
　サンプリング部が本願発明では電磁弁を含まないのに対して、刊行物１発明では電磁バルブを含み、流路切り替え機構の流路切り替えバルブが、本願発明では、バルブの回転により流路切り替えする、ロータリー式の流路切り替えバルブであるのに対し、刊行物１発明では、電磁バルブである、第一バルブ、第二バルブ及び第三バルブの３つの三方バルブである点。
　
　そこで、上記相違点についての検討する。                                     
　三方電磁バルブが、使用形態に応じて様々な問題を有することは、例えば、特開昭６１−２３１４３３号公報（第２頁左上欄６行〜右上欄１４行）には、分注装置において、精度が良くない、気泡が溜まりやすい等の欠点があることが記載され、特開平４−２３２８５１号公報（【０００５】）には、クロマトグラフィーのグラジエーションをつくる装置において、弁とポンプの同期、切り換え位置への作動時間差、等々の問題点があることが記載されているとおり、本願優先日前に周知の事項である。
　そして、複数の二方電磁弁や三方電磁弁と、複数のポートを有するロータリー弁とが置換可能であることは、刊行物２に、試料分注装置において、複数の二方電磁弁の代わりに1つのロータリー弁を用いることができることが記載され、さらに、クロマトグラフ装置においても、特開平５−６０７３６号公報（【図４】、【図１】、【０００５】、【００１５】）に、従来技術である【図４】の三方弁(13)に代えて、【図１】の四方ポート弁(34)を用いることが記載され、実願昭６２−１４５２８５号（実開昭６４−５０３５７号）のマイクロフィルム（第１図、第２図、第１１頁２〜７行）に、第２図の三方弁(6b)と第１図の四方ポート弁(6a)のいずれを用いてもよいことが記載され、実願平３−６６５４９号（実開平５−１１０５９号）のＣＤ−ＲＯＭ（【図１】、【図２】、【００１３】、【００２４】）に、【図１】の五方ポート弁(3または34)、【図２】の二方電磁弁(44)のいずれを用いてもよいことが記載されるとおり、本願優先日前に周知技術である。
　さらに、刊行物３には、液体クロマトグラフィー装置内で配管流路を切り換えるために配置される回転バルブであって、ステータ(6)に、貫通孔(61)を中心として同心円上に貫通孔(62)が複数個等間隔に設けられ、個々の貫通孔(62)が、ロータ(7)を回転することにより、ロータ(7)に形成された１個の凹部(71)を介して、中心の貫通孔(61)と連通するものが記載されており、この回転バルブは、中央の流路を、複数の周囲の流路のうち１つとのみ接続させることができるものである。そして、刊行物１発明の、第二シリンジは、希釈液タンク、サンプルインジェクタ、ニードル洗浄ブロック及び希釈槽それぞれと、三方電磁弁の切り換えにより連通するものであるところ、刊行物３に記載された回転バルブは、このような連通を可能とするものである。
　そうすると、上記のとおり使用形態により三方電磁弁に問題が生じる可能性があることが周知であることから、刊行物１発明において三方電磁弁の問題点を認識し、二方電磁弁や三方電磁弁とロータリーバルブが置換可能であることは、刊行物２等に記載されるように上記のとおり周知であることから、３つの三方電磁弁の代替手段として、刊行物３に記載されるロータリーバルブを採用することは、当業者が容易になし得たことといえる。
　そして、ロータリーバルブの特性からみて、ロータリーバルブを採用することで本願発明の効果が奏されることは、予測し得ることであり、格別顕著なものとはいえいない。
　
４．むすび
　以上のとおり、本願発明は、刊行物１ないし３に記載された発明及び周知技術に基づいて当業者が容易に発明をすることができたものであるから、特許法第２９条第２項の規定により特許を受けることができない。
　したがって、その他の請求項に係る発明についての判断を示すまでもなく本願は拒絶すべきものである。
　よって、結論のとおり審決する。